(57)【特許請求の範囲】
【請求項１】
複数のガスバーナと、各ガスバーナの燃焼を制御するコントローラと、該コントローラから延出する信号用の複数のリード線とが金属製の筐体に収容されてなるガスコンロにおいて、
前記筐体の側壁内面に沿わせた前記リード線の束を前記筐体の側壁内面に当接させて押える押え部材を備え、
該押え部材は、前記筐体内部の底面に設けられた貫通孔に着脱自在に嵌合する嵌合部と、該嵌合部に連設されて上方に延び、前記筐体の側壁内面に対向する側から束ねたリード線に当接する当接部とを備え、
前記当接部は、その頂部が他の部分よりも厚肉に形成されていることを特徴とするガスコンロ。
【請求項２】
複数のガスバーナと、各ガスバーナの燃焼を制御するコントローラと、該コントローラから延出する信号用の複数のリード線とが金属製の筐体に収容されてなるガスコンロにおいて、
前記筐体の側壁内面に沿わせた前記リード線の束を前記筐体の側壁内面に当接させて押える押え部材を備え、
該押え部材は、前記筐体内部の底面に設けられた貫通孔に着脱自在に嵌合する嵌合部と、該嵌合部に連設されて上方に延び、前記筐体の側壁内面に対向する側から束ねたリード線に当接する当接部とを備え、
前記筐体の側壁に、前記当接部の頂部に向かって張り出す張出部を設けたことを特徴とするガスコンロ。
【発明の詳細な説明】
【技術分野】
【０００１】
本発明は、複数のバーナと、各バーナの燃焼を制御するコントローラとを備えるガスコンロに関する。
【背景技術】
【０００２】
この種のガスコンロにおいては、各種調理モードや各バーナの燃焼状態に応じた制御を行うためのマイクロコンピュータからなるコントローラを備えるものが知られている。コントローラには、使用者が操作する操作パネルの各スイッチ類、着火検出器、各バーナに設けられた温度センサ等の電装部品が、多数の信号用のリード線を介して接続される。
【０００３】
このため、ガスコンロの筐体の内部においては、各リード線の配線処理が煩雑となるだけでなく、例えば、点火プラグ等に接続された高圧ケーブルと隣接する部分では信号用のリード線が高圧ケーブルのノイズの影響を受けるおそれがある。
【０００４】
そこで、コントローラの取付可能な位置を複数設けて選択自在とし、上記温度センサ等の電装部品との接続距離を最短とすることにより、信号用のリード線が高圧ケーブルからのノイズの影響を受け難くしたガスコンロが提案されている（下記特許文献１参照）。
【先行技術文献】
【特許文献】
【０００５】
【特許文献１】特開平１０−１８５２０３号公報
【発明の概要】
【発明が解決しようとする課題】
【０００６】
しかし、複数のバーナを備えるガスコンロでは、コントローラを複数の取付位置のなかから選択して取り付けても、各バーナに設けられた温度センサ等の電装部品の位置が夫々異なるために、全ての信号用のリード線の引き回し距離を短くすることは困難である。従って、引き回し距離を短くすることができない信号用のリード線については、ノイズの影響を防止することが困難となる不都合がある。
【０００７】
上記の点に鑑み、本発明は、筐体内部における高圧ケーブル等からの信号用のリード線へのノイズの影響を確実に軽減させることができるガスコンロを提供することを目的とする。
【課題を解決するための手段】
【０００８】
本発明は、複数のガスバーナと、各ガスバーナの燃焼を制御するコントローラと、該コントローラから延出する信号用の複数のリード線とが金属製の筐体に収容されてなるガスコンロにおいて、前記筐体の側壁内面に沿わせた前記リード線の束を前記筐体の側壁内面に当接させて押える押え部材を備え、該押え部材は、前記筐体内部の底面に設けられた貫通孔に着脱自在に嵌合する嵌合部と、該嵌合部に連設されて上方に延び、前記筐体の側壁内面に対向する側から束ねたリード線に当接する当接部とを備え、前記当接部は、その頂部が他の部分よりも厚肉に形成されていることを特徴とする。
【０００９】
本発明によれば、コントローラから延出する信号用の複数のリード線を束ねた状態で、前記筐体の側壁内面と前記当接部との間の間隙に収容することができる。これによれば、信号用のリード線を筐体の側壁内面に沿わせて、例えば、点火プラグ等に接続された高圧ケーブルから離間した位置に配線することができる。しかも、信号用のリード線の束が金属製の筐体の側壁内面に当接して配置され、高圧ケーブル等から発生する電磁ノイズを金属製の筐体で減衰させることができるので、信号用のリード線に対するノイズの影響を極めて効果的に軽減させることができる。
【００１０】
また、本発明は、複数のガスバーナと、各ガスバーナの燃焼を制御するコントローラと、該コントローラから延出する信号用の複数のリード線とが金属製の筐体に収容されてなるガスコンロにおいて、前記筐体の側壁内面に沿わせた前記リード線の束を前記筐体の側壁内面に当接させて押える押え部材を備え、該押え部材は、前記筐体内部の底面に設けられた貫通孔に着脱自在に嵌合する嵌合部と、該嵌合部に連設されて上方に延び、前記筐体の側壁内面に対向する側から束ねたリード線に当接する当接部とを備え、前記筐体の側壁に、前記当接部の頂部に向かって張り出す張出部を設けたことを特徴とする。
これによれば、前記押え部材の当接部と筐体の側壁内面との間に形成された間隙を当接部の頂部側において狭くすることができ、当接部と筐体の側壁との間に収容したリード線の束の抜け出しを防止して、リード線の束が筐体の側壁内面に当接した状態を確実に維持することができる。
【図面の簡単な説明】
【００１１】
【図１】本発明の実施形態のガスコンロの背面図。
【図２】本実施形態のガスコンロの要部の断面説明図。
【図３】本実施形態における押え部材の斜視図。
【図４】本実施形態における押え部材の取り付け状態を示す説明図。
【発明を実施するための形態】
【００１２】
本発明の一実施形態を図面に基づいて説明する。本実施形態のガスコンロ１は、図１においては背面側を示すように、コンロ本体２（筐体）と、コンロ本体２の上部に設けられた天板３とを備えている。天板３の上面からは、一対のコンロバーナ４が露出している。
【００１３】
両コンロバーナ４は、そのバーナ本体（図示せず）がコンロ本体２の内部に収容されている。コンロバーナ４には、着火検出器５、鍋底温度センサ６、点火プラグ（図示せず）等の電装部品が設けられている。また、コンロ本体２の内部には、グリル庫及びグリルバーナ（図示せず）が収容されており、天板３には、グリルの排気口７が設けられている。
【００１４】
コンロ本体２は、左右の側面板８，９と背面板１０（側壁）とを備えている。両側面板８，９及び背面板１０は、金属板により形成されている。図示しない前面側には、グリル扉、各コンロバーナ４及びグリルバーナの火力調整、各種の調理モードの設定、タイマー設定等を行うための操作部を備える前面パネルが設けられている。
【００１５】
コンロ本体２の底面は、周辺の枠部１１（図２参照）を残して開口されている。コンロ本体２の底面の前後左右の四隅には、支持脚１２が設けられている。ガスコンロ１は、これら支持脚１２により、台所のガス台（図示せず）の上面に載置されるようになっている。
【００１６】
コンロ本体２の後部の左右の一方寄りには、各コンロバーナ４やグリルバーナに配管接続されるホースエンド１３が設けられている。ホースエンド１３は、コンロ本体２の背面板１０に開設した窓孔１４を通して背面板１０の後方に突出している。ホースエンド１３にはガスホース１５の一端が接続される。ガスホース１５の他端は、台所のガス台後側の壁面に設置されるガスコンセント（図示せず）に接続され、これによって、ガスコンロ１に燃料ガスが供給される。
【００１７】
コンロ本体２の内部には、各コンロバーナ４及びグリルバーナの燃焼等を制御するコントローラ１６が設けられている。コントローラ１６からは、信号用の複数のリード線が延出されている。これらのリード線は、図２において符号１７で示すように、束ねられた状態で背面板１０の内面側に沿って配線される。これらのリード線は、夫々、着火検出器５、鍋底温度センサ６等の電装部品や、図示しない操作部のスイッチ等に接続されている。
【００１８】
また、図１及び図２に示すように、コンロ本体２の背面板１０の下縁に連設された枠部１１には、リード線の束１７を押えるための押え部材１８が取り付けられている。押え部材１８は、図２に示すように、コンロ本体２の枠部１１に形成された貫通孔１９に着脱自在に嵌合する嵌合部２０と、嵌合部２０の上端に一体に連設された平板部２１と、平板部２１の上部に一体に連設されて上方に向かって延びる棒状部２２（当接部）と、嵌合部２０の下方に延びる延設部２３とを備えている。
【００１９】
押え部材１８は、棒状部２２がコンロ本体２の背面板１０から間隙を存して位置するように設けられる。棒状部２２とコンロ本体２の背面板１０との間の間隙寸法は、リード線の束１７が収容可能な寸法とされ、棒状部２２は、コンロ本体２の背面板１０にリード線の束１７を押しつけるようにして、コンロ本体２の背面板１０に対向する側からリード線の束１７に当接する。これにより、リード線の束１７が確実に金属製の背面板１０に圧接保持されて配線状態が維持される。
【００２０】
更に、コンロ本体２の背面板１０には、図２に示すように、棒状部２２の頭部２２ａ（頂部）に向かって張り出す張出部２４が形成されている。張出部２４は、図１に示すように、コンロ本体２の背面板１０をその外方から凹入することにより形成されている。
【００２１】
この張出部２４によって、図２に示すように、棒状部２２の頭部２２ａと背面板１０との間の間隙が狭くなり、背面板１０に接した状態のリード線の束１７が、棒状部２２と背面板１０との間の間隙から不用意に抜け出すことを防止することができる。
【００２２】
また、押え部材１８の平板部２１は、図３に示すように、大略矩形の鍔状に形成されている。これにより、図２に示すように、コンロ本体２の枠部１１の貫通孔１９に嵌合部２０を嵌合させたときに枠部１１の上面に平板部２１の下面が比較的広い面積で当接し、棒状部２２のガタつき等を防止して立設状態を確実に維持することができる。
【００２３】
更に、押え部材１８の嵌合部２０は、図４に示すように、弾発的に揺動する一対の係止片２５を備え、両係止片２５がコンロ本体２の枠部１１の貫通孔１９の下面側に係止することにより嵌合状態となる。即ち、枠部１１の貫通孔１９の上方から押え部材１８の嵌合部２０を挿入すると、先ず、貫通孔１９の周縁に押圧された両係止片２５が互いに接近する方向に揺動し、両係止片２５が貫通孔１９を貫通したところで両係止片２５が互いに離反する方向に弾発的に揺動復帰して貫通孔１９の下面側に係止される。これにより、押え部材１８の取り付け作業が極めて容易となっている。
【００２４】
また、押え部材１８の棒状部２２は、図３に示すように、頭部２２ａが他の部分よりも厚肉となっており、押え部材１８の取り付け作業の際には棒状部２２が摘み易くなっている。しかも、頭部２２ａが他の部分よりも厚肉であることにより、前記背面板１０の張出部２４の張り出し寸法を極度に大きくすることなく頭部２２ａと背面板１０との間の間隙を適度に狭くすることができる。これによれば、張出部２４をプレス成形等によって凹入加工する場合にも凹入を浅くして加工容易とすることができる。
【００２５】
そして、図２に示すように、押え部材１８によってリード線の束１７が金属製の背面板１０に圧接状態となる。これによれば、例えば、点火プラグに接続される高圧ケーブル等（図示せず）から電磁ノイズが発生しても、リード線の束１７を圧接した金属製の背面板１０が電磁ノイズを減衰させるので、リード線へのノイズの影響を確実に軽減することができる。
【００２６】
また、本実施形態においては、押え部材１８が嵌合部２０の下方に延びる延設部２３を備えている。この延設部２３は、ガスホース１５がコンロ本体２の下に入り込むことを防止する。
【００２７】
即ち、図１を参照して説明すれば、ホースエンド１３とガスコンセントとが左右反対位置にある場合、ガスホース１５はコンロ本体２の後方にコンロ本体２を横切るようにして配設される。そして、一般的にガスホース１５はキンク（ガスホース１５が潰れるようにして屈曲する現象）を生じないように弛みを付けて配設される。そのため、ガスコンセントとホースエンド１３との間で垂れ下がったガスホース１５の部分がコンロ本体２の後側の左右両隅の支持脚１２，１２間においてコンロ本体２の下に入り込み、ガスホース１５がコンロ本体２内のグリル等の高温になる部分からの熱影響を受けてしまう可能性がある。
【００２８】
そこで、本実施形態では、押え部材１８に延設部２３を設けてコンロ本体２の底面より下方に突出させたことにより、図２及び図４に示すように、延設部２３がガスホース１５に当接して、ガスホース１５がコンロ本体２の下に入り込むことが防止できる。
【００２９】
そして、本実施形態のように押え部材１８に延設部２３を設けたことにより、ガスホース１５がコンロ本体２の下に入り込むことを防止するための専用の部品を設ける必要がない。従って、部品点数の増加が防止でき、取り付け工数やコストを低減することができる。
【００３０】
なお、本実施形態では、コンロ本体２の背面板１０に沿ってリード線の束１７が配設される例を挙げたが、リード線の束１７を左右何れかの側面板８，９に沿って配設する場合にも、側面板８，９が金属製であれば、当該側面板８，９に棒状部２２が対向するように押え部材１８を設けることで、リード線へのノイズの影響を確実に軽減することができる。
【００３１】
また、本実施形態においては、延設部２３が一体に設けられた押え部材１８を示したが、例えば、図示しないが、ドロップインコンロ等のようにガスホースがコンロ本体の下に入り込むことがない場合には、押え部材１８に延設部２３を設けなくてもよい。
【００３２】
また、本実施形態においては、本発明の当接部として図３に示すような形状の棒状部２２を備える押え部材１８を採用したが、本発明の当接部はこの形状に限るものではない。例えば、図示しないが、棒状部２２に替えて、押え部材１８の平板部２１に一体に起立する板状の起立板を設け、この起立板をリード線の束１７に当接させるようにしてもよい。
【符号の説明】
【００３３】
１…ガスコンロ、２…コンロ本体（筐体）、４…コンロバーナ（ガスバーナ）、１０…背面板（側壁）、１６…コントローラ、１７…リード線の束、１８…押え部材、１９…貫通孔、２０…嵌合部、２２…棒状部（当接部）、２２ａ…頭部（頂部）、２４…張出部。
【図１】
0005436355.tif 000002
【図２】
0005436355.tif 000003
【図３】
0005436355.tif 000004
【図４】
0005436355.tif 000005